(57)【特許請求の範囲】
【請求項１】
第１プロジェクター群と第２プロジェクター群とを含む画像投射システムの制御方法であって、
前記第１プロジェクター群が投射する画像の範囲と、前記第２プロジェクター群が投射する画像の範囲とは、互いに一致するように構成され、
前記第１プロジェクター群を構成する複数のプロジェクターの各々が投射する画像の位置を設定する第１領域と、前記第２プロジェクター群を構成する複数のプロジェクターの各々が投射する画像の位置を設定する第２領域と、を含む第１設定画面を表示し、
前記第１設定画面に対するユーザーの操作を受け付けて、前記第１プロジェクター群を構成する前記複数のプロジェクターの各々が投射する画像の位置と、前記第２プロジェクター群を構成する前記複数のプロジェクターの各々が投射する画像の位置とを設定する、画像投射システムの制御方法。
【請求項２】
前記第１設定画面は、通信可能に接続された複数のプロジェクターの各々を示す識別情報を表示する第１表示領域を含み、
前記第１表示領域に対するユーザーの操作を受け付けて、前記第１表示領域に表示された前記複数のプロジェクターから、前記第１プロジェクター群を構成する前記複数のプロジェクターの各々と、前記第２プロジェクター群を構成する前記複数のプロジェクターの各々とを選択する、請求項１に記載の画像投射システムの制御方法。
【請求項３】
前記第１設定画面は、前記第１プロジェクター群を構成する前記複数のプロジェクターが実行可能な第１機能を表示し、前記第２プロジェクター群を構成する前記複数のプロジェクターが実行可能な前記第１機能を表示する第２表示領域を含む、請求項１又は請求項２に記載の画像投射システムの制御方法。
【請求項４】
前記第１機能は、スクリーンマッチング機能、及びタイリングアシスト機能の少なくとも１つを含み、
前記スクリーンマッチング機能は、前記第１プロジェクター群又は前記第２プロジェクター群を構成する前記複数のプロジェクターの各々が投射する画像のうち、隣接して表示される画像の色合い及び明るさを調整する機能を示し、
前記タイリングアシスト機能は、前記第１プロジェクター群又は前記第２プロジェクター群を構成する前記複数のプロジェクターの各々が投射する画像のサイズ及び位置を調整する機能を示す、請求項３に記載の画像投射システムの制御方法。
【請求項５】
前記第１設定画面は、前記第１プロジェクター群を構成する前記複数のプロジェクターのうちの１台のプロジェクターと、前記第２プロジェクター群を構成する前記複数のプロジェクターのうち、前記１台のプロジェクターが投射する画像に重ねて画像を投射する他の１台のプロジェクターとが実行可能な第２機能を表示する第３表示領域を含む、請求項１から４のいずれか１項に記載の画像投射システムの制御方法。
【請求項６】
前記第２機能は、スタッキングアシスト機能を含み、
前記スタッキングアシスト機能は、前記１台のプロジェクターが投射する画像を構成する画素の位置と、前記他の１台のプロジェクターが投射する画像を構成する画素の位置との位置合わせをする機能を示す、請求項５に記載の画像投射システムの制御方法。
【請求項７】
前記第１プロジェクター群を構成する前記複数のプロジェクター、又は、前記第２プロジェクター群を構成する前記複数のプロジェクターに対して、シャッターを開又は閉する操作、電源をオン又はオフする操作、及び、複数の入力端子から１つの入力端子を選択する操作の少なくともいずれか１つの操作を受け付ける第２設定画面を表示する、請求項１から６のいずれか１項に記載の画像投射システムの制御方法。
【請求項８】
第１プロジェクター群と第２プロジェクター群とを含む画像投射システムであって、
前記第１プロジェクター群が投射する画像の範囲と、前記第２プロジェクター群が投射する画像の範囲とは、互いに一致するように構成され、
前記第１プロジェクター群を構成する複数のプロジェクターの各々が投射する画像の位置を設定する第１領域と、前記第２プロジェクター群を構成する複数のプロジェクターの各々が投射する画像の位置を設定する第２領域と、を含む第１設定画面を表示する表示制御部と、
前記第１設定画面に対するユーザーの操作を受け付けて、前記第１プロジェクター群を構成する前記複数のプロジェクターの各々が投射する画像の位置と、前記第２プロジェクター群を構成する前記複数のプロジェクターの各々が投射する画像の位置とを設定する設定部と、
を備える、画像投射システム。
【発明の詳細な説明】
【技術分野】
【０００１】
本発明は、画面投射システムの制御方法、及び画面投射システムに関する。
【背景技術】
【０００２】
従来、マルチプロジェクションシステムを構成する複数のプロジェクターの画面位置を設定する操作方法に関する技術が知られている（例えば、特許文献１参照）。
特許文献１に記載のマルチプロジェクションシステムを構成する複数のプロジェクターの操作方法では、複数のプロジェクターによる投射状態を模してマス目状に配置された複数の設定領域を含む設定画面を表示し、ユーザーが複数の設定領域のいずれかに向けてプロジェクターを模したアイコンをドラッグアンドドロップすることで、設定領域に対応する投射領域と、アイコンに対応付けられたプロジェクターの機器情報とを関連付ける。
【先行技術文献】
【特許文献】
【０００３】
【特許文献１】特開２０１４−１０７７１３号公報
【発明の概要】
【発明が解決しようとする課題】
【０００４】
マルチプロジェクションを実行しつつ、複数のプロジェクターの投射領域を重畳させるスタック投射を行う場合には、スタック投射を構成する複数の層のうちの各々の層でのマルチプロジェクション表示において、形成されるマルチプロジェクション画面にムラが生じることを抑制するため、同一機種のプロジェクター、又は同一機能を有するプロジェクターを配置することが好ましい。
しかしながら、スタック投射を構成する複数の層のうちの各々の層で、特許文献１に記載の方法でプロジェクターの配置を決定しようとすると、以下のように、ユーザーの手間がかかる可能性があるという課題があった。すなわち、例えば、互いに相違する層に配置された２つのプロジェクターを入れ換える場合には、ユーザーは、画面の切り換え等を行う必要があり、また、入れ換えることができるプロジェクターの有無を確認するために、画面を切り換えて確認する必要がある。
【課題を解決するための手段】
【０００５】
上記課題を解決する一態様は、第１プロジェクター群と第２プロジェクター群とを含む画像投射システムの制御方法であって、前記第１プロジェクター群が投射する画像の範囲と、前記第２プロジェクター群が投射する画像の範囲とは、互いに一致するように構成され、前記第１プロジェクター群を構成する複数のプロジェクターの各々が投射する画像の位置を設定する第１領域と、前記第２プロジェクター群を構成する複数のプロジェクターの各々が投射する画像の位置を設定する第２領域と、を含む第１設定画面を表示し、前記第１設定画面に対するユーザーの操作を受け付けて、前記第１プロジェクター群を構成する前記複数のプロジェクターの各々が投射する画像の位置と、前記第２プロジェクター群を構成する前記複数のプロジェクターの各々が投射する画像の位置とを設定する、画像投射システムの制御方法である。
【０００６】
上記画像投射システムの制御方法において、前記第１設定画面は、通信可能に接続された複数のプロジェクターの各々を示す識別情報を表示する第１表示領域を含み、前記第１表示領域に対するユーザーの操作を受け付けて、前記第１表示領域に表示された前記複数のプロジェクターから、前記第１プロジェクター群を構成する前記複数のプロジェクターの各々と、前記第２プロジェクター群を構成する前記複数のプロジェクターの各々とを選択してもよい。
【０００７】
上記画像投射システムの制御方法において、前記第１設定画面は、前記第１プロジェクター群を構成する前記複数のプロジェクターが実行可能な第１機能を表示し、前記第２プロジェクター群を構成する前記複数のプロジェクターが実行可能な前記第１機能を表示する第２表示領域を含んでもよい。
【０００８】
上記画像投射システムの制御方法において、前記第１機能は、スクリーンマッチング機能、及びタイリングアシスト機能の少なくとも１つを含み、前記スクリーンマッチング機能は、前記第１プロジェクター群又は前記第２プロジェクター群を構成する前記複数のプロジェクターの各々が投射する画像のうち、隣接して表示される画像の色合い及び明るさを調整する機能を示し、前記タイリングアシスト機能は、前記第１プロジェクター群又は前記第２プロジェクター群を構成する前記複数のプロジェクターの各々が投射する画像のサイズ及び位置を調整する機能を示してもよい。
【０００９】
上記画像投射システムの制御方法において、前記第１設定画面は、前記第１プロジェクター群を構成する前記複数のプロジェクターのうちの１台のプロジェクターと、前記第２プロジェクター群を構成する前記複数のプロジェクターのうち、前記１台のプロジェクターが投射する画像に重ねて画像を投射する他の１台のプロジェクターとが実行可能な第２機能を表示する第３表示領域を含んでもよい。
【００１０】
上記画像投射システムの制御方法において、前記第２機能は、スタッキングアシスト機能を含み、前記スタッキングアシスト機能は、前記１台のプロジェクターが投射する画像を構成する画素の位置と、前記他の１台のプロジェクターが投射する画像を構成する画素の位置との位置合わせをする機能を示してもよい。
【００１１】
上記画像投射システムの制御方法において、前記第１プロジェクター群を構成する前記複数のプロジェクター、又は、前記第２プロジェクター群を構成する前記複数のプロジェクターに対して、シャッターを開又は閉する操作、電源をオン又はオフする操作、及び、複数の入力端子から１つの入力端子を選択する操作の少なくともいずれか１つの操作を受け付ける第２設定画面を表示してもよい。
【００１２】
上記課題を解決する別の一態様は、第１プロジェクター群と第２プロジェクター群とを含む画像投射システムであって、前記第１プロジェクター群が投射する画像の範囲と、前記第２プロジェクター群が投射する画像の範囲とは、互いに一致するように構成され、前記第１プロジェクター群を構成する複数のプロジェクターの各々が投射する画像の位置を設定する第１領域と、前記第２プロジェクター群を構成する複数のプロジェクターの各々が投射する画像の位置を設定する第２領域と、を含む第１設定画面を表示する表示制御部と、前記第１設定画面に対するユーザーの操作を受け付けて、前記第１プロジェクター群を構成する前記複数のプロジェクターの各々が投射する画像の位置と、前記第２プロジェクター群を構成する前記複数のプロジェクターの各々が投射する画像の位置とを設定する設定部と、を備える、画像投射システムである。
【図面の簡単な説明】
【００１３】
【図１】画像投射システムの構成の一例を示す図。
【図２】制御装置の構成の一例を示す図。
【図３】第１プロジェクターの構成の一例を示す図。
【図４】制御装置の第１制御部の構成の一例を示す図。
【図５】表示パネルに表示される第１設定画面の一例を示す画面図。
【図６】表示パネルに表示される第１設定画面の別の一例を示す画面図。
【図７】表示パネルに表示される第１設定画面の更に別の一例を示す画面図。
【図８】第１制御部のプロジェクター配置処理の一例を示すフローチャート。
【図９】第１制御部の機能表示処理の一例を示すフローチャート。
【図１０】表示パネルに表示される第２設定画面の一例を示す画面図。
【図１１】第１制御部の設定変更処理の一例を示すフローチャート。
【発明を実施するための形態】
【００１４】
以下、図面を参照して本実施形態について説明する。
【００１５】
［１．画像投射システムの構成］
［１−１．画像投射システムの全体構成］
図１は、画像投射システム１の構成の一例を示す図である。
本実施形態の画像投射システム１は、制御装置１００と、複数のプロジェクター２００とを備える。制御装置１００と、複数のプロジェクター２００の各々とはネットワークＮＷを介して、通信可能に接続される。ネットワークＮＷは、例えば、ＬＡＮ（Ｌｏｃａｌ  Ａｒｅａ  Ｎｅｔｗｏｒｋ）であって、Ｅｔｈｅｒｎｅｔ（登録商標）規格に従って通信が実行される。
【００１６】
画像投射システム１は、複数のプロジェクター２００として、第１プロジェクター２００Ａ、第２プロジェクター２００Ｂ、第３プロジェクター２００Ｃ、第４プロジェクター２００Ｄ、第５プロジェクター２００Ｅ、第６プロジェクター２００Ｆ、第７プロジェクター２００Ｇ、及び第８プロジェクター２００Ｈを備える。
第１プロジェクター２００Ａ〜第８プロジェクター２００Ｈの各々は、互いに略同一の構成を有する。
以下の説明において、第１プロジェクター２００Ａ〜第８プロジェクター２００Ｈの各々を特に区別する必要がない場合は、プロジェクター２００と記載する場合がある。
【００１７】
制御装置１００は、第１プロジェクター２００Ａ〜第８プロジェクター２００Ｈの各々の投射する画像の位置を制御する。制御装置１００は、例えば、第１プロジェクター２００Ａ〜第８プロジェクター２００Ｈを、第１プロジェクター群Ｇ１を構成する４台のプロジェクターと、第２プロジェクター群Ｇ２を構成する４台のプロジェクターとに分ける。第１プロジェクター群Ｇ１が投射する画像の範囲と、第２プロジェクター群Ｇ２が投射する画像の範囲とは、互いに一致するように構成される。すなわち、第１プロジェクター群Ｇ１が投射する画像と、第２プロジェクター群Ｇ２が投射する画像とは重畳される。換言すれば、第１プロジェクター群Ｇ１が投射する画像と、第２プロジェクター群Ｇ２が投射する画像とは、スタック投射される。
また、制御装置１００は、ユーザーの操作を受け付けて、第１プロジェクター群Ｇ１を構成する４台のプロジェクターの各々が投射する画像の位置と、第２プロジェクター群Ｇ２を構成する４台のプロジェクターの各々が投射する画像の位置とを設定する。
制御装置１００の構成については、後述にて図２及び図４を参照して詳細に説明する。
【００１８】
本実施形態では、制御装置１００が、第１プロジェクター２００Ａ〜第８プロジェクター２００Ｈの各々の投射する画像の位置を制御するが、本発明はこれに限定されない。例えば、図３を参照して後述する第１プロジェクター２００Ａの第２制御部２５０が、第１プロジェクター２００Ａ〜第８プロジェクター２００Ｈの各々の投射する画像の位置を制御してもよい。
【００１９】
また、本実施形態では、第１プロジェクター２００Ａが、第２プロジェクター２００Ｂ〜第８プロジェクター２００Ｈの各々と、ネットワークＮＷを介して接続されるが、第１プロジェクター２００Ａが、第２プロジェクター２００Ｂ〜第８プロジェクター２００Ｈの各々とデイジーチェーン接続されてもよい。例えば、第１プロジェクター２００Ａが、第２プロジェクター２００ＢとＵＳＢ（Ｕｎｉｖｅｒｓａｌ  Ｓｅｒｉａｌ  Ｂｕｓ）接続され、第２プロジェクター２００Ｂが、第３プロジェクター２００ＣとＵＳＢ接続され、第３プロジェクター２００Ｃが第４プロジェクター２００ＤとＵＳＢ接続される。また、第４プロジェクター２００Ｄが第５プロジェクター２００ＥとＵＳＢ接続され、第５プロジェクター２００Ｅが第６プロジェクター２００ＦとＵＳＢ接続され、第６プロジェクター２００Ｆが第７プロジェクター２００ＧとＵＳＢ接続され、第７プロジェクター２００Ｇが第８プロジェクター２００ＨとＵＳＢ接続される。
また、第１プロジェクター２００Ａが、第２プロジェクター２００Ｂ〜第８プロジェクター２００Ｈの各々と、Ｗｉ−Ｆｉ（登録商標）規格等に従って無線通信可能に構成されてもよい。
【００２０】
［１−２．制御装置の構成］
図２は、制御装置１００の構成の一例を示す図である。
制御装置１００は、プロジェクター２００と通信可能に接続され、プロジェクター２００に対して種々の設定情報、及び種々の指示情報を送信する。本実施形態では、制御装置１００は、プロジェクター２００と、ネットワークＮＷを介して通信可能に接続される。
制御装置１００は、例えば、パーソナルコンピューターで構成され、第１制御部１１０と、第１記憶部１２０と、第１操作部１３０と、第１表示部１４０と、第１通信部１５０と、第１インターフェース部１６０とを備える。
第１記憶部１２０、第１操作部１３０、第１表示部１４０、第１通信部１５０及び第１インターフェース部１６０の各々は、第１内部バス１７０によって、第１制御部１１０に接続される。
【００２１】
第１制御部１１０は、第１プロセッサー１１１及び第１メモリー１１２を備え、制御装置１００の各部を制御する。
第１メモリー１１２は、第１プロセッサー１１１が実行するプログラムやデータを不揮発的に記憶する記憶装置である。第１メモリー１１２は、磁気的記憶装置、フラッシュＲＯＭ（Ｒｅａｄ  Ｏｎｌｙ  Ｍｅｍｏｒｙ）等の半導体記憶素子、或いはその他の種類の不揮発性記憶装置により構成される。また、第１メモリー１１２は、第１プロセッサー１１１のワークエリアを構成するＲＡＭ（Ｒａｎｄｏｍ  Ａｃｃｅｓｓ  Ｍｅｍｏｒｙ）を含んでもよい。第１メモリー１１２は、第１制御部１１０により処理されるデータや、第１プロセッサー１１１が実行する第１制御プログラムを記憶する。
【００２２】
第１プロセッサー１１１は、単一のプロセッサーで構成されてもよいし、複数のプロセッサーが第１プロセッサー１１１として機能する構成であってもよい。第１プロセッサー１１１は、第１制御プログラムを実行して制御装置１００の各部を制御する。
【００２３】
第１記憶部１２０は、第１制御部１１０により実行されるプログラムや、第１制御部１１０が処理するデータを不揮発的に記憶する。第１記憶部１２０は、例えば、ＨＤＤ（Ｈａｒｄ  Ｄｉｓｋ  Ｄｒｉｖｅ）等の磁気的記録装置、又は、フラッシュメモリー等の半導体記憶素子を用いた記憶装置である。
【００２４】
また、第１記憶部１２０は、第１制御部１１０が実行する基本制御プログラムとしてのオペレーティングシステム（ＯＳ：Ｏｐｅｒａｔｉｎｇ  Ｓｙｓｔｅｍ）、ＯＳをプラットフォームとして動作するアプリケーションプログラム等を記憶する。また、第１記憶部１２０は、アプリケーションプログラムの実行時に処理されるデータや処理結果のデータ等を記憶する。
【００２５】
第１操作部１３０は、ユーザーからの操作を受け付け、操作信号を生成し、操作信号を第１制御部１１０に出力する。第１操作部１３０は、例えば、キーボードと、マウスとを備える。
【００２６】
第１表示部１４０は、第１制御部１１０の制御に従って各種画像を表示する表示パネル１４１を備える。表示パネル１４１は、例えばＬＣＤ（Ｌｉｑｕｉｄ  Ｃｒｙｓｔａｌ  Ｄｉｓｐｌａｙ）を含む。表示パネル１４１は、矩形状に構成される。本実施形態では、表示パネル１４１は、長方形状である。
本実施形態では、表示パネル１４１はタッチパネルとして構成される。すなわち、表示パネル１４１には、表示パネル１４１上にペンやユーザーの指等が接触した位置を検出するタッチセンサーが配置される。
本実施形態では、表示パネル１４１がユーザーからの操作を受け付ける場合について説明する。
【００２７】
第１通信部１５０は、プロジェクター２００を含む外部装置とデータ通信を実行する通信インターフェースであり、送受信する信号を処理するインターフェース回路を備える。第１通信部１５０は、例えば、Ｗｉ−Ｆｉ（登録商標）規格に対応する無線通信インターフェースである。
【００２８】
第１インターフェース部１６０は、外部の装置に接続されるインターフェースである。第１インターフェース部１６０は、例えば、Ｅｔｈｅｒｎｅｔ（登録商標）規格に準拠した通信を実行する。第１インターフェース部１６０は、Ｅｔｈｅｒｎｅｔ（登録商標）ケーブルを接続するコネクター、及びコネクターを伝送される信号を処理するインターフェース回路を備える。第１インターフェース部１６０は、コネクター及びインターフェース回路を有するインターフェース基板であり、第１制御部１１０のプロセッサー等が実装されるメイン基板に接続される。或いは、第１インターフェース部１６０を構成するコネクター及びインターフェース回路が、制御装置１００のメイン基板に実装される。
【００２９】
本実施形態では、第１制御部１１０が、第１インターフェース部１６０を介して、種々の設定情報、及び種々の指示情報をプロジェクター２００に送信するが、第１制御部１１０が、第１通信部１５０を介して、種々の設定情報、及び種々の指示情報をプロジェクター２００に送信してもよい。換言すれば、本実施形態では、第１制御部１１０が有線通信で種々の設定情報、及び種々の指示情報をプロジェクター２００に送信するが、第１制御部１１０が無線通信で種々の設定情報、及び種々の指示情報をプロジェクター２００に送信してもよい。
【００３０】
本実施形態では、制御装置１００が、パーソナルコンピューターで構成されるが、制御装置１００が、タブレット端末やスマートフォン等で構成されてもよい。
【００３１】
［１−３．プロジェクターの構成］
図３は、第１プロジェクター２００Ａの構成の一例を示す図である。
第１プロジェクター２００Ａ〜第８プロジェクター２００Ｈの各々は、互いに略同一の構成を有するため、図３を参照して、第１プロジェクター２００Ａの構成について説明し、第２プロジェクター２００Ｂ〜第８プロジェクター２００Ｈの各々については、その説明を省略する。
第１プロジェクター２００Ａは、投射部２１０と、投射部２１０を駆動する駆動部２２０とを備える。投射部２１０は、光学的な画像の形成を行い、スクリーンＳＣに画像を投射する。
投射部２１０は、光源部２１１、光変調装置２１２及び投射光学系２１３を備える。駆動部２２０は、光源駆動部２２１及び光変調装置駆動部２２２を備える。
【００３２】
光源部２１１は、ハロゲンランプ、キセノンランプ、超高圧水銀ランプ等のランプ、又はＬＥＤ（Ｌｉｇｈｔ  Ｅｍｉｔｔｉｎｇ  Ｄｉｏｄｅ）やレーザー光源等の固体光源を備える。
また、光源部２１１は、光源が発した光を光変調装置２１２に導くリフレクター、及び補助リフレクターを備えてもよい。更に、光源部２１１は、投射光の光学特性を高めるためのレンズ群、偏光板、又は光源が発した光の光量を光変調装置２１２に至る経路上で低減させる調光素子等を備えてもよい。
光源駆動部２２１は、第２内部バス２０７に接続され、同じく第２内部バス２９０に接続された第２制御部２５０の指示に従って、光源部２１１の光源を点灯及び消灯させる。
【００３３】
光変調装置２１２は、例えば、Ｒ、Ｇ及びＢの三原色に対応した３枚の液晶パネル２１５を備える。Ｒは赤色を示し、Ｇは緑色を示し、Ｂは青色を示す。すなわち、光変調装置２１２は、Ｒ色光に対応した液晶パネル２１５と、Ｇ色光に対応した液晶パネル２１５と、Ｂ色光に対応した液晶パネル２１５とを備える。
光源部２１１が発する光はＲＧＢの３色の色光に分離され、それぞれ対応する液晶パネル２１５に入射される。３枚の液晶パネル２１５の各々は、透過型の液晶パネルであり、透過する光を変調して画像光ＰＬを生成する。各液晶パネル２１５を通過して変調された画像光ＰＬは、クロスダイクロイックプリズム等の合成光学系によって合成され、投射光学系２１３に射出される。
本実施形態では、光変調装置２１２が光変調素子として透過型の液晶パネル２１５を備える場合について説明するが、本実施形態はこれに限定されない。光変調素子は反射型の液晶パネルであってもよいし、デジタルマイクロミラーデバイス（Ｄｉｇｉｔａｌ  Ｍｉｃｒｏｍｉｒｒｏｒ  Ｄｅｖｉｃｅ）であってもよい。
【００３４】
光変調装置２１２は、光変調装置駆動部２２２によって駆動される。光変調装置駆動部２２２は、画像処理部２４５に接続される。
光変調装置駆動部２２２には、画像処理部２４５からＲ，Ｇ，Ｂの各原色に対応する画像データが入力される。光変調装置駆動部２２２は、入力された画像データを液晶パネル２１５の動作に適したデータ信号に変換する。光変調装置駆動部２２２は、変換したデータ信号に基づいて、各液晶パネル２１５の各画素に電圧を印加し、各液晶パネル２１５に画像を描画する。
【００３５】
投射光学系２１３は、入射された画像光ＰＬをスクリーンＳＣ上に結像させるレンズやミラー等を備える。また、投射光学系２１３は、スクリーンＳＣに投射される画像を拡大又は縮小させるズーム機構や、フォーカスの調整を行うフォーカス調整機構等を備えてもよい。
【００３６】
プロジェクター２００は、第２操作部２３１、リモコン受光部２３３、入力インターフェース２３５、第２記憶部２３７、画像インターフェース２４１、第２インターフェース部２４２、フレームメモリー２４３、画像処理部２４５及び第２制御部２５０を更に備える。入力インターフェース２３５、第２記憶部２３７、画像インターフェース２４１、第２インターフェース部２４２、画像処理部２４５及び第２制御部２５０は、第２内部バス２０７を介して相互にデータ通信可能に接続される。
【００３７】
第２操作部２３１は、プロジェクター２００の筐体表面に設けられた各種のボタンやスイッチを備え、これらのボタンやスイッチの操作に対応した操作信号を生成して、入力インターフェース２３５に出力する。入力インターフェース２３５は、第２操作部２３１から入力された操作信号を第２制御部２５０に出力する回路を備える。
【００３８】
リモコン受光部２３３は、リモコン５から送信される赤外線信号を受光し、受光した赤外線信号をデコードして操作信号を生成する。リモコン受光部２３３は、生成した操作信号を入力インターフェース２３５に出力する。入力インターフェース２３５は、リモコン受光部２３３から入力された操作信号を第２制御部２５０に出力する回路を有する。
【００３９】
第２記憶部２３７は、例えば、ハードディスクドライブやＳＳＤ（Ｓｏｌｉｄ  Ｓｔａｔｅ  Ｄｒｉｖｅ）等の不揮発性の記憶装置である。第２記憶部２３７は、第２制御部２５０が実行するプログラムや、第２制御部２５０が処理したデータ、画像データ等を記憶する。
【００４０】
画像インターフェース２４１は、コネクター及びインターフェース回路を備え、プロジェクター２００に画像データを供給する図略の画像供給装置に有線接続が可能に構成される。
【００４１】
第２インターフェース部２４２は、制御装置１００とＥｔｈｅｒｎｅｔ（登録商標）規格に従って通信を実行する通信インターフェースである。第２インターフェース部２４２は、Ｅｔｈｅｒｎｅｔ（登録商標）ケーブルを接続するコネクター、及びコネクターを伝送される信号を処理するインターフェース回路を備える。第２インターフェース部２４２は、コネクター及びインターフェース回路を有するインターフェース基板であり、第２制御部２５０の第２プロセッサー２５３等が実装されるメイン基板に接続される。或いは、第２インターフェース部２４２を構成するコネクター及びインターフェース回路が、第２制御部２５０のメイン基板に実装される。第２インターフェース部２４２は、例えば、種々の設定情報、及び種々の指示情報を制御装置１００から受信する。
【００４２】
第２制御部２５０は、第２メモリー２５１及び第２プロセッサー２５３を備える。
第２メモリー２５１は、第２プロセッサー２５３が実行するプログラムやデータを不揮発的に記憶する記憶装置である。第２メモリー２５１は、磁気的記憶装置、フラッシュＲＯＭ等の半導体記憶素子、或いはその他の種類の不揮発性記憶装置により構成される。また、第２メモリー２５１は、第２プロセッサー２５３のワークエリアを構成するＲＡＭを含んでもよい。第２メモリー２５１は、第２制御部２５０により処理されるデータや、第２プロセッサー２５３が実行する第２制御プログラムを記憶する。
【００４３】
第２プロセッサー２５３は、単一のプロセッサーで構成されてもよいし、複数のプロセッサーが第２プロセッサー２５３として機能する構成であってもよい。第２プロセッサー２５３は、第２制御プログラムを実行してプロジェクター２００の各部を制御する。例えば、第２プロセッサー２５３は、第２操作部２３１やリモコン５により受け付けた操作に対応した画像処理の実行指示と、この画像処理に用いるパラメーターとを画像処理部２４５に出力する。パラメーターには、例えば、スクリーンＳＣに投射する画像の幾何的な歪みを補正するための幾何補正パラメーター等が含まれる。また、第２プロセッサー２５３は、光源駆動部２２１を制御して光源部２１１の点灯と消灯とを制御し、また光源部２１１の輝度を調整する。
【００４４】
画像処理部２４５及びフレームメモリー２４３は、例えば、集積回路により構成することができる。集積回路は、ＬＳＩ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）を含む。ＰＬＤには、例えば、ＦＰＧＡ（Ｆｉｅｌｄ−Ｐｒｏｇｒａｍｍａｂｌｅ  Ｇａｔｅ  Ａｒｒａｙ）が含まれる。また、集積回路の構成の一部にアナログ回路が含まれていてもよく、プロセッサーと集積回路との組み合わせであってもよい。プロセッサーと集積回路との組み合わせは、マイクロコントローラー（ＭＣＵ）、ＳｏＣ（Ｓｙｓｔｅｍ−ｏｎ−ａ−ｃｈｉｐ）、システムＬＳＩ、チップセットなどと呼ばれる。
【００４５】
画像処理部２４５は、画像インターフェース２４１から入力された画像データをフレームメモリー２４３に展開する。フレームメモリー２４３は、複数のバンクを備える。各バンクは、１フレーム分の画像データを書き込み可能な記憶容量を有する。フレームメモリー２４３は、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）により構成される。
【００４６】
画像処理部２４５は、フレームメモリー２４３に展開した画像データに対して、例えば、解像度変換処理又はリサイズ処理、歪曲収差の補正、形状補正処理、デジタルズーム処理、画像の色合いや輝度の調整等の画像処理を行う。
また、画像処理部２４５は、垂直同期信号の入力フレーム周波数を描画周波数に変換した垂直同期信号を生成する。生成した垂直同期信号を出力同期信号という。画像処理部２４５は、生成した出力同期信号を光変調装置駆動部２２２に出力する。
【００４７】
［１−４．第１制御部の構成］
図４は、制御装置１００の第１制御部１１０の構成の一例を示す図である。
制御装置１００の第１制御部１１０は、第１表示制御部１１３と、第１設定部１１４と、第２表示制御部１１５と、第２設定部１１６と、を備える。具体的には、第１制御部１１０の第１プロセッサー１１１が、第１メモリー１１２に記憶された第１制御プログラムを実行することによって、第１表示制御部１１３、第１設定部１１４、第２表示制御部１１５及び第２設定部１１６として機能する。
【００４８】
第１表示制御部１１３は、第１設定画面３００を表示パネル１４１に表示する。第１設定画面３００は、第１プロジェクター群Ｇ１を構成する４台のプロジェクター２００の各々が投射する画像の位置を設定する第１領域３５０と、第２プロジェクター群Ｇ２を構成する４台のプロジェクター２００の各々が投射する画像の位置を設定する第２領域３６０と、を含む。第１表示制御部１１３は、「表示制御部」の一例に対応する。
第１設定画面３００については、後述にて図５〜図７を参照して詳細に説明する。「４台のプロジェクター２００」は、「複数のプロジェクター」の一例に対応する。
【００４９】
第１設定部１１４は、第１設定画面３００に対するユーザーの操作を受け付けて、第１プロジェクター群Ｇ１を構成する４台のプロジェクターの各々が投射する画像の位置と、第２プロジェクター群Ｇ２を構成する４台のプロジェクターの各々が投射する画像の位置とを設定する。第１設定部１１４は、「設定部」の一例に対応する。
【００５０】
第２表示制御部１１５は、第２設定画面５００を表示パネル１４１に表示する。第２設定画面５００は、第１プロジェクター群Ｇ１を構成する４台のプロジェクター２００、又は、第２プロジェクター群Ｇ２を構成する４台のプロジェクター２００に対して、第１操作ＱＰ１、第２操作ＱＰ２及び第３操作ＱＰ３を受け付ける。第１操作ＱＰ１は、シャッターを開又は閉する操作を示す。第２操作ＱＰ２は、電源をオン又はオフする操作を示す。第３操作ＱＰ３は、複数の入力端子から１つの入力端子を選択する操作を示す。
第２設定画面５００については、後述にて図１０を参照して詳細に説明する。
【００５１】
第２設定部１１６は、第２設定画面５００を介して受け付けた操作に対応する指示情報を、第１プロジェクター群Ｇ１を構成する４台のプロジェクター２００、又は、第２プロジェクター群Ｇ２を構成する４台のプロジェクター２００に対して送信する。
【００５２】
［２．第１設定画面の構成］
図５〜図７の各々は、表示パネル１４１に表示される第１設定画面３００の一例を示す画面図である。
図５に示すように、第１設定画面３００には、台数設定部３１０、スタック数設定部３２０、イメージ表示部３３０、一覧表示部３４０、第１領域３５０、第２領域３６０、ＯＫボタン３７１、及びキャンセルボタン３７２が表示される。
【００５３】
台数設定部３１０は、縦方向台数表示部３１１と、横方向台数表示部３１４とを含む。縦方向台数表示部３１１には、縦方向台数ＮＶが表示され、横方向台数表示部３１４には、横方向台数ＮＨが表示される。
縦方向台数ＮＶは、第１プロジェクター群Ｇ１又は第２プロジェクター群Ｇ２を構成する複数のプロジェクター２００において、プロジェクター２００から投射される画像が上下方向ＤＶに配列される個数を示す。横方向台数ＮＨは、第１プロジェクター群Ｇ１又は第２プロジェクター群Ｇ２を構成する複数のプロジェクター２００において、プロジェクター２００から投射される画像が左右方向ＤＨに配列される個数を示す。
【００５４】
縦方向台数表示部３１１には、「２」と表示され、縦方向台数ＮＶが「２」であることを示している。横方向台数表示部３１４には、「２」と表示され、横方向台数ＮＨが「２」であることを示している。この場合には、第１プロジェクター群Ｇ１及び第２プロジェクター群Ｇ２の各々に含まれるプロジェクター２００の台数は、４台（＝２×２）である。
【００５５】
台数設定部３１０は、減少ボタン３１２、増加ボタン３１３、減少ボタン３１５及び増加ボタン３１６を含む。
減少ボタン３１２は、縦方向台数ＮＶを減少する場合に、ユーザーによってタッチされる。増加ボタン３１３は、縦方向台数ＮＶを増加する場合に、ユーザーによってタッチされる。減少ボタン３１５は、横方向台数ＮＨを減少する場合に、ユーザーによってタッチされる。増加ボタン３１６は、横方向台数ＮＨを増加する場合に、ユーザーによってタッチされる。
【００５６】
スタック数設定部３２０は、スタック数表示部３２１、減少ボタン３２２、増加ボタン３２３及び初期化ボタン３２４を含む。スタック数表示部３２１には、スタック数ＮＳが表示される。スタック数ＮＳは、第１プロジェクター群Ｇ１が投射する画像の範囲において、重畳される画像の個数を示す。
スタック数表示部３２１には、「２」と表示され、スタック数ＮＳが「２」であることを示している。この場合には、画像投射システム１に含まれるプロジェクター２００は、第１プロジェクター群Ｇ１に含まれるプロジェクター２００と、第２プロジェクター群Ｇ２に含まれるプロジェクター２００とで構成される。
第１プロジェクター群Ｇ１に含まれるプロジェクター２００は、第１層の画像を投射し、第２プロジェクター群Ｇ２に含まれるプロジェクター２００は、第１層の画像に重畳される第２層の画像を投射する。
【００５７】
初期化ボタン３２４は、縦方向台数ＮＶ、横方向台数ＮＨ及びスタック数ＮＳを初期化する場合に、ユーザーによってタッチされる。初期化ボタン３２４がタッチされた場合には、第１表示制御部１１３は、縦方向台数ＮＶ、横方向台数ＮＨ及びスタック数ＮＳの各々を、所定の初期値に戻し、縦方向台数表示部３１１、横方向台数表示部３１４、及びスタック数表示部３２１の表示を所定の初期値に更新する。
【００５８】
イメージ表示部３３０は、画像投射システム１に含まれるプロジェクター２００によって投射される画像のイメージ図を表示する。本実施形態では、スタック数ＮＳが「２」であるため、イメージ表示部３３０には、第１層イメージ３３１と、第２層イメージ３３２とが表示されている。また、第１層イメージ３３１及び第２層イメージ３３２の各々は、縦方向台数ＮＶが「２」であるため、上下方向ＤＶに２個の矩形画像が配置され、横方向台数ＮＨが「２」であるため、左右方向ＤＨに２個の矩形画像が配置されている。各矩形画像は、１台のプロジェクター２００が投射する画像を示す。
【００５９】
一覧表示部３４０には、第１プロジェクター群Ｇ１又は第２プロジェクター群Ｇ２を構成するプロジェクター２００として設定可能なプロジェクター２００の一覧が表示される。例えば、第１プロジェクター２００Ａ〜第８プロジェクター２００Ｈの各々について、名称３４１、ＩＰアドレス３４２、シャッターの開及び閉を示す画像３４３、及び、プロジェクター２００が有する機能を示す画像３４４が表示されている。一覧表示部３４０は、「第１表示領域」の一例に対応する。また、名称３４１及びＩＰアドレス３４２の各々は、「識別情報」の一例に対応する。
例えば、第１プロジェクター２００Ａの名称３４１は、「ｅｍｕ１」であり、ＩＰアドレス３４２は、「１９２．０．２．０」であり、画像３４３は、第１プロジェクター２００Ａのシャッターが開いている状態であることを示し、画像３４４は、スクリーンマッチング機能Ｆ１、タイリングアシスト機能Ｆ２、及びスタッキングアシスト機能Ｆ３を有することを示す。
また、例えば、第２プロジェクター２００Ｂの名称３４１は、「ｅｍｕ２」であり、ＩＰアドレス３４２は、「１９２．０．２．１」であり、画像３４３は、第２プロジェクター２００Ｂのシャッターが開いている状態であることを示し、画像３４４は、スクリーンマッチング機能Ｆ１、タイリングアシスト機能Ｆ２、及びスタッキングアシスト機能Ｆ３を有することを示す。
スタッキングアシスト機能Ｆ３については、後述にて図６を参照して詳細に説明し、スクリーンマッチング機能Ｆ１及びタイリングアシスト機能Ｆ２については、後述にて図７を参照して詳細に説明する。
【００６０】
第１プロジェクター２００Ａの名称３４１及びＩＰアドレス３４２が白抜きで表示されていることは、第１プロジェクター２００Ａが、第１プロジェクター群Ｇ１又は第２プロジェクター群Ｇ２を構成するプロジェクター２００として選択されていることを示す。
また、第２プロジェクター２００Ｂの名称３４１及びＩＰアドレス３４２が白抜きで表示されていないことは、第２プロジェクター２００Ｂが、第１プロジェクター群Ｇ１又は第２プロジェクター群Ｇ２を構成するプロジェクター２００として選択されていないことを示す。
【００６１】
第１領域３５０は、第１プロジェクター群Ｇ１を構成する４台のプロジェクター２００の各々が投射する画像の位置を設定する領域を示す。第１領域３５０は、第１小領域３５１と、第２小領域３５２と、第３小領域３５３と、第４小領域３５４とで構成される。
第１小領域３５１には、第１プロジェクター群Ｇ１が投射する画像の範囲において、左上位置に画像を投射するプロジェクター２００が仮想的に配置される。第２小領域３５２には、第１プロジェクター群Ｇ１が投射する画像の範囲において、右上位置に画像を投射するプロジェクター２００が仮想的に配置される。第３小領域３５３には、第１プロジェクター群Ｇ１が投射する画像の範囲において、左下位置に画像を投射するプロジェクター２００が仮想的に配置される。第４小領域３５４には、第１プロジェクター群Ｇ１が投射する画像の範囲において、右下位置に画像を投射するプロジェクター２００が仮想的に配置される。
【００６２】
図５に示す第１設定画面３００では、第１領域３５０の第３小領域３５３に第１プロジェクター２００Ａが配置されている。例えば、一覧表示部３４０に表示された第１プロジェクター２００Ａの名称３４１を第１領域３５０の第３小領域３５３にドラッグアンドドロップする操作をユーザーが行うことによって、第１プロジェクター２００Ａが第１領域３５０の第３小領域３５３に配置される。
第１領域３５０の第３小領域３５３に第１プロジェクター２００Ａが配置されているため、第１領域３５０の第３小領域３５３には、第１プロジェクター２００Ａの名称３４１、ＩＰアドレス３４２及び型番が表示されている。第１プロジェクター２００Ａの型番は、「ＰＪ１０００／ＰＪ１００２」である。
【００６３】
第２領域３６０は、第２プロジェクター群Ｇ２を構成する４台のプロジェクター２００の各々が投射する画像の位置を設定する領域を示す。第２領域３６０は、第１小領域３６１と、第２小領域３６２と、第３小領域３６３と、第４小領域３６４とで構成される。
第１小領域３６１には、第２プロジェクター群Ｇ２が投射する画像の範囲において、左上位置に画像を投射するプロジェクター２００が仮想的に配置される。第２小領域３６２には、第２プロジェクター群Ｇ２が投射する画像の範囲において、右上位置に画像を投射するプロジェクター２００が仮想的に配置される。第３小領域３６３には、第２プロジェクター群Ｇ２が投射する画像の範囲において、左下位置に画像を投射するプロジェクター２００が仮想的に配置される。第４小領域３６４には、第２プロジェクター群Ｇ２が投射する画像の範囲において、右下位置に画像を投射するプロジェクター２００が仮想的に配置される。
図５に示す第１設定画面３００では、第２領域３６０には、プロジェクター２００が配置されていない。
【００６４】
ＯＫボタン３７１は、第１領域３５０及び第２領域３６０へのプロジェクター２００の配置を決定する場合に、ユーザーによってタッチされる。ＯＫボタン３７１がタッチされた場合には、第１設定部１１４は、第１領域３５０及び第２領域３６０へのプロジェクター２００の配置を決定し、決定した位置に画像を投射するように、プロジェクター２００に対して指示情報を送信する。
【００６５】
キャンセルボタン３７２は、第１領域３５０及び第２領域３６０へのプロジェクター２００の配置をキャンセルする場合に、ユーザーによってタッチされる。キャンセルボタン３７２がタッチされた場合には、第１設定部１１４は、第１領域３５０及び第２領域３６０へのプロジェクター２００の配置をキャンセルし、第１表示制御部１１３は、第１領域３５０及び第２領域３６０にプロジェクター２００が配置されていない状態に戻す。
【００６６】
図６に示す第１設定画面３００は、図５に示す第１設定画面３００と比較して、一覧表示部３４０と、第１領域３５０と、第２領域３６０と、第２機能表示部３８０とが相違している。
【００６７】
具体的には、図５に示す第１設定画面３００では、第１領域３５０の第３小領域３５３に第１プロジェクター２００Ａが配置され、第１領域３５０の第１小領域３５１、第２小領域３５２及び第４小領域３５４の各々には、プロジェクター２００が配置されていない。
これに対して、図６に示す第１設定画面３００では、第１領域３５０の第１小領域３５１に第２プロジェクター２００Ｂが配置され、第２小領域３５２に第３プロジェクター２００Ｃが配置され、第４小領域３５４に、第４プロジェクター２００Ｄが配置されている。
【００６８】
また、図５に示す第１設定画面３００では、第２領域３６０には、プロジェクター２００が配置されていない。
これに対して、図６に示す第１設定画面３００では、第２領域３６０の第１小領域３６１に第５プロジェクター２００Ｅが配置され、第２小領域３６２に第７プロジェクター２００Ｇが配置され、第４小領域３６４に第８プロジェクター２００Ｈが配置されている。
【００６９】
また、図５に示す第１設定画面３００では、一覧表示部３４０において、第１プロジェクター２００Ａの名称３４１及びＩＰアドレス３４２が白抜きで表示されており、他のプロジェクター２００の名称３４１及びＩＰアドレス３４２は、白抜きで表示されていない。
これに対して、図６に示す第１設定画面３００では、一覧表示部３４０において、第６プロジェクター２００Ｆの名称３４１及びＩＰアドレス３４２が白抜きで表示されず、他のプロジェクター２００の名称３４１及びＩＰアドレス３４２は、白抜きで表示されている。
【００７０】
すなわち、図５に示す第１設定画面３００が表示された後に、一覧表示部３４０に表示されていた第２プロジェクター２００Ｂを第１領域３５０の第１小領域３５１に配置する操作と、第３プロジェクター２００Ｃを第１領域３５０の第２小領域３５２に配置する操作と、第４プロジェクター２００Ｄを第１領域３５０の第４小領域３５４に配置する操作とが行われた。また、一覧表示部３４０に表示されていた第５プロジェクター２００Ｅを第２領域３６０の第１小領域３６１に配置する操作と、第７プロジェクター２００Ｇを第２領域３６０の第２小領域３５２に配置する操作と、第８プロジェクター２００Ｈを第２領域３６０の第４小領域３６４に配置する操作とが行われた。その結果、第１表示制御部１１３によって、図６に示す第１設定画面３００が表示される。
【００７１】
図６では、ポインターＰＴが第２プロジェクター群Ｇ２を構成する第１小領域３６１に配置されている場合について説明する。
図６に示す第２機能表示部３８０には、第１プロジェクター群Ｇ１を構成する第１小領域３５１に配置された第２プロジェクター２００Ｂと、第２プロジェクター群Ｇ２を構成する第１小領域３６１に配置された第５プロジェクター２００Ｅとが、スタッキングアシスト機能Ｆ３を実行できることを示すメッセージが表示される。
具体的には、第２機能表示部３８０には、「Ｓ−１  スタッキングが実行できます。」と表示される。「Ｓ−１」は、第１プロジェクター群Ｇ１を構成する第１小領域３５１と、第２プロジェクター群Ｇ２を構成する第１小領域３６１とに付与されたグループ名である。
第２機能表示部３８０は、「第３表示領域」の一例に対応する。
スタッキングアシスト機能Ｆ３とは、１台のプロジェクター２００が投射する画像を構成する画素の位置と、他の１台のプロジェクター２００が投射する画像を構成する画素の位置との位置合わせをする機能を示す。第２プロジェクター２００Ｂは、１台のプロジェクター２００の一例に対応し、第５プロジェクター２００Ｅは、他の１台のプロジェクター２００の一例に対応する。
すなわち、図６に示す第２機能表示部３８０は、第２プロジェクター２００Ｂが投射する画像を構成する画素の位置と、第５プロジェクター２００Ｅが投射する画像を構成する画素の位置との位置合わせをするスタッキングアシスト機能Ｆ３が実行可能であることを示す。
【００７２】
図７に示す第１設定画面３００は、図６に示す第１設定画面３００と比較して、一覧表示部３４０と、第２領域３６０と、第１機能表示部３９０と、第２機能表示部３８０とが相違している。
【００７３】
図６に示す第１設定画面３００では、第２領域３６０の第１小領域３６１に第５プロジェクター２００Ｅが配置され、第２小領域３６２に第７プロジェクター２００Ｇが配置され、第４小領域３６４に第８プロジェクター２００Ｈが配置されている。第２領域３６０の第３小領域３６３にはプロジェクター２００が配置されていない。
これに対して、図７に示す第１設定画面３００では、第２領域３６０の第３小領域３６３に、第６プロジェクター２００Ｆが配置されている。
【００７４】
また、図６に示す第１設定画面３００では、第６プロジェクター２００Ｆの名称３４１及びＩＰアドレス３４２が白抜きで表示されず、他のプロジェクター２００の名称３４１及びＩＰアドレス３４２は、白抜きで表示されている。
これに対して、図７に示す第１設定画面３００では、第６プロジェクター２００Ｆの名称３４１及びＩＰアドレス３４２が白抜きで表示されている。
【００７５】
すなわち、図６に示す第１設定画面３００が表示された後に、一覧表示部３４０に表示されていた第６プロジェクター２００Ｆを第２領域３６０の第３小領域３６３に配置する操作が行われた。その結果、第１表示制御部１１３によって、図７に示す第１設定画面３００が表示される。
【００７６】
図７では、ポインターＰＴが第２プロジェクター群Ｇ２を構成する第３小領域３６３に配置されている場合について説明する。
図７に示す第１機能表示部３９０には、第２プロジェクター群Ｇ２を構成する４台のプロジェクター２００が、スクリーンマッチング機能Ｆ１、及びタイリングアシスト機能Ｆ２を実行できることを示すメッセージが表示される。
第１機能表示部３９０は、「第２表示領域」の一例に対応する。
スクリーンマッチング機能Ｆ１は、第２プロジェクター群Ｇ２を構成する４台のプロジェクター２００の各々が投射する画像のうち、隣接して表示される画像の色合い及び明るさを調整する機能を示す。
タイリングアシスト機能Ｆ２は、第２プロジェクター群Ｇ２を構成する４台のプロジェクター２００の各々が投射する画像のサイズ及び位置を調整する機能を示す。
【００７７】
また、図７に示す第２機能表示部３８０には、第１プロジェクター群Ｇ１を構成する第３小領域３５３配置された第１プロジェクター２００Ａと、第２プロジェクター群Ｇ２を構成する第３小領域３６３に配置された第６プロジェクター２００Ｆとが、スタッキングアシスト機能Ｆ３を実行できることを示すメッセージが表示される。
具体的には、第２機能表示部３８０には、「Ｓ−３  スタッキングが実行できます。」と表示される。「Ｓ−３」は、第１プロジェクター群Ｇ１を構成する第３小領域３５３と、第２プロジェクター群Ｇ２を構成する第３小領域３６３とに付与されたグループ名である。
【００７８】
［３．第１設定画面に対する第１制御部の処理］
［３−１．第１制御部のプロジェクター配置処理］
図８は、第１制御部１１０の「プロジェクター配置処理」の一例を示すフローチャートである。「プロジェクター配置処理」とは、一覧表示部３４０に表示されたプロジェクター２００から、第１プロジェクター群Ｇ１を構成する４台のプロジェクター２００と、第２プロジェクター群Ｇ２を構成する４台のプロジェクター２００との配置を設定する処理を示す。
【００７９】
まず、ステップＳ１０１において、第１表示制御部１１３は、第１設定画面３００を表示パネル１４１に表示する。
次に、ステップＳ１０３において、第１設定部１１４は、第１プロジェクター群Ｇ１を構成するプロジェクター２００を配置する操作を受け付けたか否かを判定する。
第１プロジェクター群Ｇ１を構成するプロジェクター２００を配置する操作を受け付けていないと第１設定部１１４が判定した場合（ステップＳ１０３；ＮＯ）には、処理がステップＳ１１１に進む。第１プロジェクター群Ｇ１を構成するプロジェクター２００を配置する操作を受け付けたと第１設定部１１４が判定した場合（ステップＳ１０３；ＹＥＳ）には、処理がステップＳ１０５に進む。
そして、ステップＳ１０５において、第１設定部１１４は、第１設定画面３００に対するユーザーの操作に基づいて、プロジェクター２００を配置する横方向の位置、及び縦方向の位置を検出する。具体的には、第１設定部１１４は、ユーザーのドラッグアンドドロップ操作におけるドロップ操作が行われた位置に基づいて、プロジェクター２００を配置する横方向の位置、及び縦方向の位置を検出する。
横方向は、図５〜図７の左右方向ＤＨに対応し、縦方向は、図５〜図７の上下方向ＤＶに対応する。
次に、ステップＳ１０７において、第１設定部１１４は、一覧表示部３４０からプロジェクター２００の名称３４１、ＩＰアドレス３４２及び型番を取得する。具体的には、第１設定部１１４は、ユーザーのドラッグアンドドロップ操作におけるドラッグ操作が開始された位置に基づいて、一覧表示部３４０から１つのプロジェクター２００を決定し、プロジェクター２００の名称３４１、ＩＰアドレス３４２及び型番を取得する。
次に、ステップＳ１０９において、第１設定部１１４は、プロジェクター２００を配置する位置に、プロジェクター２００の名称３４１、ＩＰアドレス３４２及び型番を表示する。そして、処理がステップＳ１１９に進む。
【００８０】
第１プロジェクター群Ｇ１を構成するプロジェクター２００を配置する操作を受け付けていないと第１設定部１１４が判定した場合（ステップＳ１０３；ＮＯ）には、ステップＳ１１１において、第１設定部１１４は、第２プロジェクター群Ｇ２を構成するプロジェクター２００を配置する操作を受け付けたか否かを判定する。
第２プロジェクター群Ｇ２を構成するプロジェクター２００を配置する操作を受け付けていないと第１設定部１１４が判定した場合（ステップＳ１１１；ＮＯ）には、処理がステップＳ１０３に戻る。第２プロジェクター群Ｇ２を構成するプロジェクター２００を配置する操作を受け付けたと第１設定部１１４が判定した場合（ステップＳ１１１；ＹＥＳ）には、処理がステップＳ１１３に進む。
そして、ステップＳ１１３において、第１設定部１１４は、第１設定画面３００に対するユーザーの操作に基づいて、プロジェクター２００を配置する横方向の位置、及び縦方向の位置を検出する。具体的には、第１設定部１１４は、ユーザーのドラッグアンドドロップ操作におけるドロップ操作が行われた位置に基づいて、プロジェクター２００を配置する横方向の位置、及び縦方向の位置を検出する。
次に、ステップＳ１１５において、第１設定部１１４は、一覧表示部３４０からプロジェクター２００の名称３４１、ＩＰアドレス３４２及び型番を取得する。具体的には、第１設定部１１４は、ユーザーのドラッグアンドドロップ操作におけるドラッグ操作が開始された位置に基づいて、一覧表示部３４０から１つのプロジェクター２００を決定し、プロジェクター２００の名称３４１、ＩＰアドレス３４２及び型番を取得する。
次に、ステップＳ１１７において、第１設定部１１４は、プロジェクター２００を配置する位置に、プロジェクター２００の名称３４１、ＩＰアドレス３４２及び型番を表示する。そして、処理がステップＳ１１９に進む。
【００８１】
次に、ステップＳ１１９において、第１制御部１１０は、第１プロジェクター群Ｇ１を構成する４台のプロジェクター２００の配置が完了したか否かを判定する。
第１プロジェクター群Ｇ１を構成する４台のプロジェクター２００の配置が完了していないと第１制御部１１０が判定した場合（ステップＳ１１９；ＮＯ）には、処理がステップＳ１０３に戻る。第１プロジェクター群Ｇ１を構成する４台のプロジェクター２００の配置が完了したと第１制御部１１０が判定した場合（ステップＳ１１９；ＹＥＳ）には、処理がステップＳ１２１に進む。
そして、ステップＳ１２１において、第１制御部１１０は、第２プロジェクター群Ｇ２を構成する４台のプロジェクター２００の配置が完了したか否かを判定する。
第２プロジェクター群Ｇ２を構成する４台のプロジェクター２００の配置が完了していないと第１制御部１１０が判定した場合（ステップＳ１２１；ＮＯ）には、処理がステップＳ１０３に戻る。第２プロジェクター群Ｇ２を構成する４台のプロジェクター２００の配置が完了したと第１制御部１１０が判定した場合（ステップＳ１２１；ＹＥＳ）には、処理が終了する。
【００８２】
［３−２．第１制御部の機能表示処理］
図９は、第１制御部１１０の「機能表示処理」の一例を示すフローチャートである。「機能表示処理」は、「第１機能表示処理」と「第２機能表示処理」とで構成される。「第１機能表示処理」は、第１プロジェクター群Ｇ１を構成する４台のプロジェクター２００、又は第２プロジェクター群Ｇ２を構成する４台のプロジェクター２００が実行可能な第１機能を図７に示す第１機能表示部３９０に表示する処理を示す。第１機能は、スクリーンマッチング機能Ｆ１、及びタイリングアシスト機能Ｆ２を含む。
「第２機能表示処理」は、第１プロジェクター群Ｇ１を構成する４台のプロジェクター２００のうちの１台のプロジェクターと、第２プロジェクター群Ｇ２を構成する４台のプロジェクター２００のうち、前記１台のプロジェクター２００が投射する画像に重ねて画像を投射する他の１台のプロジェクター２００とが実行可能な第２機能を図６に示す第２機能表示部３８０に表示する処理を示す。第２機能は、スタッキングアシスト機能Ｆ３を含む。
【００８３】
図９に示すように、まず、ステップＳ２０１において、第１表示制御部１１３は、ポインターＰＴが第１プロジェクター群Ｇ１を指示しているか否かを判定する。
ポインターＰＴが第１プロジェクター群Ｇ１を指示していないと第１表示制御部１１３が判定した場合（ステップＳ２０１；ＮＯ）には、処理がステップＳ２１１に進む。ポインターＰＴが第１プロジェクター群Ｇ１を指示していると第１表示制御部１１３が判定した場合（ステップＳ２０１；ＹＥＳ）には、処理がステップＳ２０３に進む。
そして、ステップＳ２０３において、第１表示制御部１１３は、第１プロジェクター群Ｇ１を構成する４台のプロジェクター２００の各々が配置済であるか否かを判定する。
第１プロジェクター群Ｇ１を構成する４台のプロジェクター２００の少なくとも１台が配置済ではないと第１表示制御部１１３が判定した場合（ステップＳ２０３；ＮＯ）には、処理がステップＳ２０７に進む。第１プロジェクター群Ｇ１を構成する４台のプロジェクター２００の各々が配置済であると第１表示制御部１１３が判定した場合（ステップＳ２０３；ＹＥＳ）には、処理がステップＳ２０５に進む。
そして、ステップＳ２０５において、第１表示制御部１１３は、第１プロジェクター群Ｇ１を構成する４台のプロジェクター２００が実行可能な第１機能を第１機能表示部３９０に表示する。
【００８４】
次に、ステップＳ２０７において、第１表示制御部１１３は、ポインターＰＴが指示する１台のプロジェクター２００に対応する他の１台のプロジェクター２００が配置済であるか否かを判定する。１台のプロジェクター２００は、第１プロジェクター群Ｇ１を構成し、他の１台のプロジェクター２００は、第２プロジェクター群Ｇ２を構成する。また、他の１台のプロジェクター２００は、１台のプロジェクター２００が投射する画像に重ねて画像を投射する。
他の１台のプロジェクター２００が配置済ではないと第１表示制御部１１３が判定した場合（ステップＳ２０７；ＮＯ）には、処理がステップＳ２０１にリターンされる。他の１台のプロジェクター２００が配置済であると第１表示制御部１１３が判定した場合（ステップＳ２０７；ＹＥＳ）には、処理がステップＳ２０９に進む。
そして、ステップＳ２０９において、第１表示制御部１１３が、第１プロジェクター群Ｇ１を構成する１台のプロジェクター２００と第２プロジェクター群Ｇ２を構成する他の１台のプロジェクター２００とが実行可能な第２機能を第２機能表示部３８０に表示する。その後、処理がステップＳ２０１にリターンされる。
【００８５】
ステップＳ２０１でＮＯの場合には、ステップＳ２１１において、第１表示制御部１１３は、ポインターＰＴが第２プロジェクター群Ｇ２を指示しているか否かを判定する。
ポインターＰＴが第２プロジェクター群Ｇ２を指示していないと第１表示制御部１１３が判定した場合（ステップＳ２１１；ＮＯ）には、処理がステップＳ２０１に戻る。ポインターＰＴが第２プロジェクター群Ｇ２を指示していると第１表示制御部１１３が判定した場合（ステップＳ２１１；ＹＥＳ）には、処理がステップＳ２１３に進む。
そして、ステップＳ２１３において、第１表示制御部１１３は、第２プロジェクター群Ｇ２を構成する４台のプロジェクター２００の各々が配置済であるか否かを判定する。
第２プロジェクター群Ｇ２を構成する４台のプロジェクター２００の少なくとも１台が配置済ではないと第１表示制御部１１３が判定した場合（ステップＳ２１３；ＮＯ）には、処理がステップＳ２１７に進む。第１プロジェクター群Ｇ１を構成する４台のプロジェクター２００の各々が配置済であると第１表示制御部１１３が判定した場合（ステップＳ２１３；ＹＥＳ）には、処理がステップＳ２１５に進む。
そして、ステップＳ２１５において、第１表示制御部１１３は、第２プロジェクター群Ｇ２を構成する４台のプロジェクター２００が実行可能な第１機能を第１機能表示部３９０に表示する。
【００８６】
次に、ステップＳ２１７において、第１表示制御部１１３は、ポインターＰＴが指示する１台のプロジェクター２００に対応する他の１台のプロジェクター２００が配置済であるか否かを判定する。１台のプロジェクター２００は、第２プロジェクター群Ｇ２を構成し、他の１台のプロジェクター２００は、第１プロジェクター群Ｇ１を構成する。また、他の１台のプロジェクター２００は、１台のプロジェクター２００が投射する画像に重ねて画像を投射する。
他の１台のプロジェクター２００が配置済ではないと第１表示制御部１１３が判定した場合（ステップＳ２１７；ＮＯ）には、処理がステップＳ２０１にリターンされる。他の１台のプロジェクター２００が配置済であると第１表示制御部１１３が判定した場合（ステップＳ２１７；ＹＥＳ）には、処理がステップＳ２１９に進む。
そして、ステップＳ２１９において、第１表示制御部１１３が、第２プロジェクター群Ｇ２を構成する１台のプロジェクター２００と第１プロジェクター群Ｇ１を構成する他の１台のプロジェクター２００とが実行可能な第２機能を第２機能表示部３８０に表示する。その後、処理がステップＳ２０１にリターンされる。
【００８７】
［４．第２設定画面の構成］
図１０は、表示パネル１４１に表示される第２設定画面５００の一例を示す画面図である。
第２設定画面５００には、第１群表示領域５１０、第２群表示領域５２０、電源ボタン５３０、入力端子選択ボタン５４０、及びシャッター操作ボタン５５０が表示される。
【００８８】
第１群表示領域５１０は、第１プロジェクター群Ｇ１を構成する４台のプロジェクター２００の各々が投射する画像の位置を設定する領域を示す。第１群表示領域５１０は、第１小領域５１１と、第２小領域５１２と、第３小領域５１３と、第４小領域５１４とで構成される。
第１小領域５１１には、第１プロジェクター群Ｇ１が投射する画像の範囲において、左上位置に画像を投射する第２プロジェクター２００Ｂが配置される。第２小領域５１２には、第１プロジェクター群Ｇ１が投射する画像の範囲において、右上位置に画像を投射する第３プロジェクター２００Ｃが配置される。第３小領域５１３には、第１プロジェクター群Ｇ１が投射する画像の範囲において、左下位置に画像を投射する第１プロジェクター２００Ａが配置される。第４小領域５１４には、第１プロジェクター群Ｇ１が投射する画像の範囲において、右下位置に画像を投射する第４プロジェクター２００Ｄが配置される。
【００８９】
第１小領域５１１、第２小領域５１２、第３小領域５１３及び第４小領域５１４の各々には、第２プロジェクター２００Ｂ、第３プロジェクター２００Ｃ、第１プロジェクター２００Ａ及び第４プロジェクター２００Ｄの各々の名称３４１及びＩＰアドレス３４２等が表示される。
【００９０】
第２群表示領域５２０は、第２プロジェクター群Ｇ２を構成する４台のプロジェクター２００の各々が投射する画像の位置を設定する領域を示す。第２群表示領域５２０は、第１小領域５２１と、第２小領域５２２と、第３小領域５２３と、第４小領域５２４とで構成される。
第１小領域５２１には、第２プロジェクター群Ｇ２が投射する画像の範囲において、左上位置に画像を投射する第５プロジェクター２００Ｅが配置される。第２小領域５２２には、第２プロジェクター群Ｇ２が投射する画像の範囲において、右上位置に画像を投射する第７プロジェクター２００Ｇが配置される。第３小領域５２３には、第２プロジェクター群Ｇ２が投射する画像の範囲において、左下位置に画像を投射する第６プロジェクター２００Ｆが配置される。第４小領域５２４には、第２プロジェクター群Ｇ２が投射する画像の範囲において、右下位置に画像を投射する第８プロジェクター２００Ｈが配置される。
【００９１】
第１小領域５２１、第２小領域５２２、第３小領域５２３及び第４小領域５２４の各々には、第５プロジェクター２００Ｅ、第７プロジェクター２００Ｇ、第６プロジェクター２００Ｆ及び第８プロジェクター２００Ｈの各々の名称３４１及びＩＰアドレス３４２等が表示される。
【００９２】
電源ボタン５３０は、オンボタン５３１と、オフボタン５３２とを含む。オンボタン５３１は、第１プロジェクター群Ｇ１を構成する４台のプロジェクター２００、又は、第２プロジェクター群Ｇ２を構成する４台のプロジェクター２００の電源をオンする場合にユーザーによってタッチされる。オフボタン５３２は、第１プロジェクター群Ｇ１を構成する４台のプロジェクター２００、又は、第２プロジェクター群Ｇ２を構成する４台のプロジェクター２００の電源をオフする場合にユーザーによってタッチされる。
【００９３】
入力端子選択ボタン５４０は、ＨＤＢａｓｅＴボタン５４１、ＳＤＩボタン５４２、ＨＤＭＩボタン５４３、ＤＶＩ−Ｄボタン５４４、コンピューターボタン５４５、ＢＮＣボタン５４６、及びＬＡＮボタン５４７を含む。
ＨＤＢａｓｅＴボタン５４１は、第１プロジェクター群Ｇ１を構成する４台のプロジェクター２００、又は、第２プロジェクター群Ｇ２を構成する４台のプロジェクター２００の入力端子をＨＤＢａｓｅＴ端子に設定する場合にユーザーによってタッチされる。
ＳＤＩボタン５４２は、第１プロジェクター群Ｇ１を構成する４台のプロジェクター２００、又は、第２プロジェクター群Ｇ２を構成する４台のプロジェクター２００の入力端子をＳＤＩ端子に設定する場合にユーザーによってタッチされる。
ＨＤＭＩボタン５４３は、第１プロジェクター群Ｇ１を構成する４台のプロジェクター２００、又は、第２プロジェクター群Ｇ２を構成する４台のプロジェクター２００の入力端子をＨＤＭＩ（登録商標）端子に設定する場合にユーザーによってタッチされる。
ＤＶＩ−Ｄボタン５４４は、第１プロジェクター群Ｇ１を構成する４台のプロジェクター２００、又は、第２プロジェクター群Ｇ２を構成する４台のプロジェクター２００の入力端子をＤＶＩ−Ｄ端子に設定する場合にユーザーによってタッチされる。
コンピューターボタン５４５は、第１プロジェクター群Ｇ１を構成する４台のプロジェクター２００、又は、第２プロジェクター群Ｇ２を構成する４台のプロジェクター２００の入力端子を、コンピューターが接続される端子に設定する場合にユーザーによってタッチされる。コンピューターが接続される端子は、例えばＵＳＢ端子である。
ＢＮＣボタン５４６は、第１プロジェクター群Ｇ１を構成する４台のプロジェクター２００、又は、第２プロジェクター群Ｇ２を構成する４台のプロジェクター２００の入力端子をＢＮＣ端子に設定する場合にユーザーによってタッチされる。
ＬＡＮボタン５４７は、第１プロジェクター群Ｇ１を構成する４台のプロジェクター２００、又は、第２プロジェクター群Ｇ２を構成する４台のプロジェクター２００の入力端子を、ＬＡＮに接続される端子に設定する場合にユーザーによってタッチされる。ＬＡＮに接続される端子は、例えばＥｔｈｅｒｎｅｔ（登録商標）端子である。
【００９４】
シャッター操作ボタン５５０は、シャッター閉ボタン５５１、及びシャッター開ボタン５５２を含む。
シャッター閉ボタン５５１は、第１プロジェクター群Ｇ１を構成する４台のプロジェクター２００、又は、第２プロジェクター群Ｇ２を構成する４台のプロジェクター２００のシャッターを閉にする場合にユーザーによってタッチされる。
シャッター開ボタン５５２は、第１プロジェクター群Ｇ１を構成する４台のプロジェクター２００、又は、第２プロジェクター群Ｇ２を構成する４台のプロジェクター２００のシャッターを開にする場合にユーザーによってタッチされる。
【００９５】
［５．第２設定画面に対する第１制御部の処理］
図１１は、第１制御部１１０の「設定変更処理」の一例を示すフローチャートである。「設定変更処理」は、図１０に示す第２設定画面５００を介して受け付けたユーザー操作に基づいて、第１プロジェクター群Ｇ１を構成する４台のプロジェクター２００、又は、第２プロジェクター群Ｇ２を構成する４台のプロジェクター２００に対する設定を変更する処理を示す。
【００９６】
図１１に示すように、まず、ステップＳ３０１において、第２表示制御部１１５が、第２設定画面５００を表示パネル１４１に表示する。
次に、ステップＳ３０３において、第２設定部１１６は、第１プロジェクター群Ｇ１が選択されているか否かを判定する。
第１プロジェクター群Ｇ１が選択されていないと第２設定部１１６が判定した場合（ステップＳ３０３；ＮＯ）には、処理がステップＳ３１７に進む。第１プロジェクター群Ｇ１が選択されていると第２設定部１１６が判定した場合（ステップＳ３０３；ＹＥＳ）には、処理がステップＳ３０５に進む。
そして、ステップＳ３０５において、第２設定部１１６は、電源ボタン５３０を介して電源の操作を受け付けたか否かを判定する。電源の操作は、第２操作ＱＰ２に対応する。
電源の操作を受け付けていないと第２設定部１１６が判定した場合（ステップＳ３０５；ＮＯ）には、処理がステップＳ３０９に進む。電源の操作を受け付けたと第２設定部１１６が判定した場合（ステップＳ３０５；ＹＥＳ）には、処理がステップＳ３０７に進む。
そして、ステップＳ３０７において、第２設定部１１６は、第１プロジェクター群Ｇ１を構成する４台のプロジェクター２００の各々の電源をＯＮ又はＯＦＦに設定する。
【００９７】
次に、ステップＳ３０９において、第２設定部１１６は、シャッター操作ボタン５５０を介してシャッターの操作を受け付けたか否かを判定する。シャッターの操作は、第１操作ＱＰ１に対応する。
シャッターの操作を受け付けていないと第２設定部１１６が判定した場合（ステップＳ３０９；ＮＯ）には、処理がステップＳ３１３に進む。シャッターの操作を受け付けたと第２設定部１１６が判定した場合（ステップＳ３０９；ＹＥＳ）には、処理がステップＳ３１１に進む。
そして、ステップＳ３１１において、第２設定部１１６は、第１プロジェクター群Ｇ１を構成する４台のプロジェクター２００の各々のシャッターを開又は閉にする。
次に、ステップＳ３１３において、第２設定部１１６は、入力端子選択ボタン５４０を介して入力端子の選択操作を受け付けたか否かを判定する。入力端子の選択操作は、第３操作ＱＰ３に対応する。
入力端子の選択操作を受け付けていないと第２設定部１１６が判定した場合（ステップＳ３１３；ＮＯ）には、処理がステップＳ３０１にリターンする。入力端子の選択操作を受け付けたと第２設定部１１６が判定した場合（ステップＳ３１３；ＹＥＳ）には、処理がステップＳ３１５に進む。
そして、ステップＳ３１５において、第２設定部１１６は、第１プロジェクター群Ｇ１を構成する４台のプロジェクター２００の各々の入力端子を選択された端子に設定し、処理がステップＳ３０１にリターンする。
【００９８】
ステップＳ３０３でＮＯの場合には、ステップＳ３１７において、第２設定部１１６は、第２プロジェクター群Ｇ２が選択されているか否かを判定する。
第２プロジェクター群Ｇ２が選択されていないと第２設定部１１６が判定した場合（ステップＳ３１７；ＮＯ）には、処理がステップＳ３０３に戻る。第２プロジェクター群Ｇ２が選択されていると第２設定部１１６が判定した場合（ステップＳ３１７；ＹＥＳ）には、処理がステップＳ３１９に進む。
そして、ステップＳ３１９において、第２設定部１１６は、電源ボタン５３０を介して電源の操作を受け付けたか否かを判定する。電源の操作は、第２操作ＱＰ２に対応する。
電源の操作を受け付けていないと第２設定部１１６が判定した場合（ステップＳ３１９；ＮＯ）には、処理がステップＳ３２３に進む。電源の操作を受け付けたと第２設定部１１６が判定した場合（ステップＳ３１９；ＹＥＳ）には、処理がステップＳ３２１に進む。
そして、ステップＳ３３１において、第２設定部１１６は、第２プロジェクター群Ｇ２を構成する４台のプロジェクター２００の各々の電源をＯＮ又はＯＦＦに設定する。
【００９９】
次に、ステップＳ３２３において、第２設定部１１６は、シャッター操作ボタン５５０を介してシャッターの操作を受け付けたか否かを判定する。シャッターの操作は、第１操作ＱＰ１に対応する。
シャッターの操作を受け付けていないと第２設定部１１６が判定した場合（ステップＳ３２３；ＮＯ）には、処理がステップＳ３２７に進む。シャッターの操作を受け付けたと第２設定部１１６が判定した場合（ステップＳ３２３；ＹＥＳ）には、処理がステップＳ３２５に進む。
そして、ステップＳ３２５において、第２設定部１１６は、第２プロジェクター群Ｇ２を構成する４台のプロジェクター２００の各々のシャッターを開又は閉にする。
次に、ステップＳ３２７において、第２設定部１１６は、入力端子選択ボタン５４０を介して入力端子の選択操作を受け付けたか否かを判定する。入力端子の選択操作は、第３操作ＱＰ３に対応する。
入力端子の選択操作を受け付けていないと第２設定部１１６が判定した場合（ステップＳ３２７；ＮＯ）には、処理がステップＳ３０１にリターンする。入力端子の選択操作を受け付けたと第２設定部１１６が判定した場合（ステップＳ３２７；ＹＥＳ）には、処理がステップＳ３２９に進む。
そして、ステップＳ３２９において、第２設定部１１６は、第２プロジェクター群Ｇ２を構成する４台のプロジェクター２００の各々の入力端子を選択された端子に設定し、処理がステップＳ３０１にリターンする。
【０１００】
本実施形態では、第１プロジェクター群Ｇ１を構成する４台のプロジェクター２００がグループ化され、第２プロジェクター群Ｇ２を構成する４台のプロジェクター２００がグループ化されている場合について説明したが、本発明の実施形態はこれに限定されない。第１プロジェクター群Ｇ１を構成する４台のプロジェクター２００、及び第１プロジェクター群Ｇ１を構成する４台のプロジェクター２００のうち、少なくとも２台がグループ化されていればよい。例えば、第１プロジェクター群Ｇ１を構成する第２プロジェクター２００Ｂと、第２プロジェクター群Ｇ２を構成する第５プロジェクター２００Ｅとがグループ化されてもよい。また、例えば、第１プロジェクター群Ｇ１を構成する４台のプロジェクター２００及び第２プロジェクター群Ｇ２を構成する４台のプロジェクター２００が１つのグループにグループ化されてもよい。
【０１０１】
［６．本実施形態及び作用効果］
以上、図１〜図１１を参照して説明したように、本実施形態に係る画像投射システム１の制御方法は、第１プロジェクター群Ｇ１と第２プロジェクター群Ｇ２とを含む画像投射システム１の制御方法であって、第１プロジェクター群Ｇ１が投射する画像の範囲と、第２プロジェクター群Ｇ２が投射する画像の範囲とは、互いに一致するように構成され、第１プロジェクター群Ｇ１を構成する４台のプロジェクター２００の各々が投射する画像の位置を設定する第１領域３５０と、第２プロジェクター群Ｇ２を構成する４台のプロジェクターの各々が投射する画像の位置を設定する第２領域３６０と、を含む第１設定画面３００を表示し、第１設定画面３００に対するユーザーの操作を受け付けて、第１プロジェクター群Ｇ１を構成する４台のプロジェクターの各々が投射する画像の位置と、第２プロジェクター群Ｇ２を構成する４台のプロジェクターの各々が投射する画像の位置とを設定する、画像投射システムの制御方法である。
よって、第１設定画面３００に対するユーザーの操作を受け付けて、第１プロジェクター群Ｇ１を構成する４台のプロジェクターの各々が投射する画像の位置と、第２プロジェクター群Ｇ２を構成する４台のプロジェクターの各々が投射する画像の位置とを設定できる。したがって、第１プロジェクター群Ｇ１を構成する４台のプロジェクターの各々が投射する画像の位置と、第２プロジェクター群Ｇ２を構成する４台のプロジェクターの各々が投射する画像の位置とを容易に設定できる。
【０１０２】
また、第１設定画面３００は、通信可能に接続された複数のプロジェクター２００の各々を示す名称３４１を表示する一覧表示部３４０を含み、一覧表示部３４０に対するユーザーの操作を受け付けて、一覧表示部３４０に表示された複数のプロジェクター２００から、第１プロジェクター群Ｇ１を構成する４台のプロジェクター２００の各々と、第２プロジェクター群Ｇ２を構成する４台のプロジェクター２００の各々とを選択する。
よって、一覧表示部３４０に対するユーザーの操作を受け付けて、一覧表示部３４０に表示された複数のプロジェクター２００から、第１プロジェクター群Ｇ１を構成する４台のプロジェクター２００の各々と、第２プロジェクター群Ｇ２を構成する４台のプロジェクター２００の各々とを選択できる。したがって、第１プロジェクター群Ｇ１を構成する４台のプロジェクターの各々が投射する画像の位置と、第２プロジェクター群Ｇ２を構成する４台のプロジェクターの各々が投射する画像の位置とを容易に設定できる。
【０１０３】
また、第１設定画面３００は、第１プロジェクター群Ｇ１を構成する４台のプロジェクター２００が実行可能な第１機能を表示し、第２プロジェクター群Ｇ２を構成する４台のプロジェクター２００が実行可能な第１機能を表示する第１機能表示部３９０を含む。
よって、第１機能表示部３９０に、第１プロジェクター群Ｇ１を構成する４台のプロジェクター２００が実行可能な第１機能を表示し、第２プロジェクター群Ｇ２を構成する４台のプロジェクター２００が実行可能な第１機能を表示できる。したがって、ユーザーは、第１プロジェクター群Ｇ１を構成する４台のプロジェクター２００が実行可能な第１機能、及び、第２プロジェクター群Ｇ２を構成する４台のプロジェクター２００が実行可能な第１機能を確認できる。その結果、ユーザーの利便性を向上できる。
【０１０４】
また、第１機能は、スクリーンマッチング機能Ｆ１、及びタイリングアシスト機能Ｆ２の少なくとも１つを含み、スクリーンマッチング機能Ｆ１は、第１プロジェクター群Ｇ１又は第２プロジェクター群Ｇ２を構成する４台のプロジェクター２００の各々が投射する画像のうち、隣接して表示される画像の色合い及び明るさを調整する機能を示し、タイリングアシスト機能Ｆ２は、第１プロジェクター群Ｇ１又は第２プロジェクター群Ｇ２を構成する４台のプロジェクター２００の各々が投射する画像のサイズ及び位置を調整する機能を示す。
よって、ユーザーは、第１機能として、スクリーンマッチング機能Ｆ１、及びタイリングアシスト機能Ｆ２の少なくとも１つを確認できる。したがって、ユーザーの利便性を向上できる。
【０１０５】
また、第１設定画面３００は、第１プロジェクター群Ｇ１を構成する４台のプロジェクター２００のうちの１台のプロジェクター２００と、第２プロジェクター群Ｇ２を構成する４台のプロジェクター２００のうち、前記１台のプロジェクター２００が投射する画像に重ねて画像を投射する他の１台のプロジェクター２００とが実行可能な第２機能を表示する第２機能表示部３８０を含む。
よって、第２機能表示部３８０に、第１プロジェクター群Ｇ１のうちの１台のプロジェクター２００と、第２プロジェクター群Ｇ２のうち、前記１台のプロジェクター２００が投射する画像に重ねて画像を投射する他の１台のプロジェクター２００とが実行可能な第２機能を表示できる。したがって、ユーザーは、投射する画像が互いに重畳される２台のプロジェクター２００が実行可能な第２機能を確認できる。その結果、ユーザーの利便性を向上できる。
【０１０６】
また、第２機能は、スタッキングアシスト機能Ｆ３を含み、スタッキングアシスト機能Ｆ３は、前記１台のプロジェクター２００が投射する画像を構成する画素の位置と、前記他の１台のプロジェクター２００が投射する画像を構成する画素の位置との位置合わせをする機能を示す。
よって、ユーザーは、第２機能として、スタッキングアシスト機能Ｆ３を確認できる。したがって、ユーザーの利便性を向上できる。
【０１０７】
また、第１プロジェクター群Ｇ１を構成する４台のプロジェクター２００、又は、第２プロジェクター群Ｇ２を構成する４台のプロジェクター２００に対して、シャッターを開又は閉する操作、電源をオン又はオフする操作、及び、複数の入力端子から１つの入力端子を選択する操作の少なくともいずれか１つの操作を受け付ける第２設定画面５００を表示する。
よって、ユーザーは、第２設定画面５００を介して、第１プロジェクター群Ｇ１を構成する４台のプロジェクター２００、又は、第２プロジェクター群Ｇ２を構成する４台のプロジェクター２００に対して、シャッターを開又は閉する操作、電源をオン又はオフする操作、及び、複数の入力端子から１つの入力端子を選択する操作の少なくともいずれか１つの操作を指示できる。したがって、ユーザーの利便性を向上できる。
【０１０８】
また、本実施形態に係る画像投射システム１は、第１プロジェクター群Ｇ１と第２プロジェクター群Ｇ２とを含む画像投射システム１であって、第１プロジェクター群Ｇ１が投射する画像の範囲と、第２プロジェクター群Ｇ２が投射する画像の範囲とは、互いに一致するように構成され、第１プロジェクター群Ｇ１を構成する４台のプロジェクター２００の各々が投射する画像の位置を設定する第１領域３５０と、第２プロジェクター群Ｇ２を構成する４台のプロジェクター２００の各々が投射する画像の位置を設定する第２領域３６０と、を含む第１設定画面３００を表示する第１表示制御部１１３と、第１設定画面３００に対するユーザーの操作を受け付けて、第１プロジェクター群Ｇ１を構成する４台のプロジェクター２００の各々が投射する画像の位置と、第２プロジェクター群Ｇ２を構成する４台のプロジェクター２００の各々が投射する画像の位置とを設定する第１設定部１１４と、を備える。
よって、第１設定画面３００に対するユーザーの操作を受け付けて、第１プロジェクター群Ｇ１を構成する４台のプロジェクターの各々が投射する画像の位置と、第２プロジェクター群Ｇ２を構成する４台のプロジェクターの各々が投射する画像の位置とを設定できる。したがって、第１プロジェクター群Ｇ１を構成する４台のプロジェクターの各々が投射する画像の位置と、第２プロジェクター群Ｇ２を構成する４台のプロジェクターの各々が投射する画像の位置とを容易に設定できる。
【０１０９】
［７．他の実施形態］
上述した本実施形態は、好適な実施の形態である。ただし、上述の実施形態に限定されるものではなく、要旨を逸脱しない範囲内において種々の変形実施が可能である。
本実施形態では、第１プロジェクター群Ｇ１及び第２プロジェクター群Ｇ２の各々が４台のプロジェクター２００で構成されるが、本発明の実施形態はこれに限定されない。第１プロジェクター群Ｇ１及び第２プロジェクター群Ｇ２の各々が２台以上で構成されればよい。例えば、第１プロジェクター群Ｇ１及び第２プロジェクター群Ｇ２の各々が２台で構成されてもよいし、第１プロジェクター群Ｇ１及び第２プロジェクター群Ｇ２の各々が３台で構成されてもよい。また、例えば、第１プロジェクター群Ｇ１及び第２プロジェクター群Ｇ２の各々が５台以上で構成されてもよい。
【０１１０】
本実施形態では、制御装置１００の第１制御部１１０が第１表示制御部１１３及び第１設定部１１４を備えるが、本発明の実施形態はこれに限定されない。第１プロジェクター群Ｇ１を構成する４台のプロジェクター２００のいずれか１台、又は第２プロジェクター群Ｇ２を構成する４台のプロジェクター２００のいずれか１台が、第１表示制御部１１３及び第１設定部１１４を備えてもよい。この場合には、第１設定画面３００は、スクリーンＳＣに投射して表示される。
【０１１１】
本実施形態では、制御装置１００がパーソナルコンピューターで構成される場合について説明するが、本発明の実施形態はこれに限定されない。制御装置１００が、例えばタブレット端末、スマートフォン、又はＰＤＡ（Ｐｅｒｓｏｎａｌ  Ｄｉｇｉｔａｌ  Ａｓｓｉｓｔａｎｔ）等で構成されてもよい。
【０１１２】
また、本実施形態では、制御装置１００がプロジェクター２００とＬＡＮで通信可能に接続される場合について説明するが、本発明の実施形態はこれに限定されない。制御装置１００がプロジェクター２００とＷｉ−Ｆｉ（登録商標）等の無線通信で通信可能に接続されてもよい。
【０１１３】
また、図２、図３及び図４に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、或いは、ハードウェアで実現される機能の一部をソフトウェアで実現してもよい。その他、制御装置１００の他の各部の具体的な細部構成についても、趣旨を逸脱しない範囲で任意に変更可能である。
【０１１４】
また、図８、図９及び図１１の各々に示すフローチャートの処理単位は、制御装置１００の処理を理解容易にするために、主な処理内容に応じて分割したものである。図８、図９及び図１１の各々のフローチャートに示す処理単位の分割の仕方や名称によって制限されることはなく、処理内容に応じて、さらに多くの処理単位に分割することもできるし、１つの処理単位がさらに多くの処理を含むように分割することもできる。また、上記のフローチャートの処理順序も、図示した例に限られるものではない。
【０１１５】
また、制御装置１００の制御方法は、制御装置１００が備える第１プロセッサー１１１に、制御装置１００の制御方法に対応した第１制御プログラムを実行させることで実現できる。また、この第１制御プログラムは、コンピューターで読み取り可能に記録した記録媒体に記録しておくことも可能である。記録媒体としては、磁気的、光学的記録媒体又は半導体メモリーデバイスを用いることができる。具体的には、フレキシブルディスク、ＨＤＤ、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ、Ｂｌｕ−ｒａｙ（登録商標）  Ｄｉｓｃ、光磁気ディスク、フラッシュメモリー、カード型記録媒体等の可搬型、或いは固定式の記録媒体が挙げられる。また、記録媒体は、画像処理装置が備える内部記憶装置であるＲＡＭ、ＲＯＭ、ＨＤＤ等の不揮発性記憶装置であってもよい。また、制御装置１００の制御方法に対応した第１制御プログラムをサーバー装置等に記憶させておき、サーバー装置から制御装置１００に、第１制御プログラムをダウンロードすることで制御装置１００の制御方法を実現することもできる。
【符号の説明】
【０１１６】
１…画像投射システム、１００…制御装置、１１０…第１制御部、１１１…第１プロセッサー、１１２…第１メモリー、１１３…第１表示制御部（表示制御部）、１１４…第１設定部（設定部）、１１５…第２表示制御部、１１６…第２設定部、１２０…第１記憶部、１３０…第１操作部、１４０…第１表示部、１４１…表示パネル、１５０…第１通信部、１６０…第１インターフェース部、２００…プロジェクター、２００Ａ…第１プロジェクター、２００Ｂ…第２プロジェクター、２００Ｃ…第３プロジェクター、２００Ｄ…第４プロジェクター、２００Ｅ…第５プロジェクター、２００Ｆ…第６プロジェクター、２００Ｇ…第７プロジェクター、２００Ｈ…第８プロジェクター、２１０…投射部、２１１…光源部、２１２…光変調装置、２１３…投射光学系、２１５…液晶パネル、２２０…駆動部、２２１…光源駆動部、２２２…光変調装置駆動部、２３１…第２操作部、２３５…入力インターフェース、２４１…画像インターフェース、２４５…画像処理部、２５０…第２制御部、２５１…第２メモリー、２５３…第２プロセッサー、３００…第１設定画面、３１０…台数設定部、３２０…スタック数設定部、３３０…イメージ表示部、３４０…一覧表示部（第１表示領域）、３４１…名称（識別情報）、３４２…ＩＰアドレス（識別情報）、３５０…第１領域、３５１…第１小領域、３５２…第２小領域、３５３…第３小領域、３５４…第４小領域、３６０…第２領域、３６１…第１小領域、３６２…第２小領域、３６３…第３小領域、３６４…第４小領域、３７１…ＯＫボタン、３７２…キャンセルボタン、３８０…第２機能表示部（第３表示領域）、３９０…第１機能表示部（第２表示領域）、５００…第２設定画面、５１０…第１群表示領域、５１１…第１小領域、５１２…第２小領域、５１３…第３小領域、５１４…第４小領域、５２０…第２群表示領域、５２１…第１小領域、５２２…第２小領域、５２３…第３小領域、５２４…第４小領域、５３０…電源ボタン、５４０…入力端子選択ボタン、５５０…シャッター操作ボタン、ＤＨ…左右方向、ＤＶ…上下方向、Ｆ１…スクリーンマッチング機能、Ｆ２…タイリングアシスト機能、Ｆ３…スタッキングアシスト機能、Ｇ１…第１プロジェクター群、Ｇ２…第２プロジェクター群、ＮＨ…横方向台数、ＮＳ…スタック数、ＮＶ…縦方向台数、ＮＷ…ネットワーク、ＰＬ…画像光、ＰＴ…ポインター、ＳＣ…スクリーン。
【図１】
0006919685.tif 000002
【図２】
0006919685.tif 000003
【図３】
0006919685.tif 000004
【図４】
0006919685.tif 000005
【図５】
0006919685.tif 000006
【図６】
0006919685.tif 000007
【図７】
0006919685.tif 000008
【図８】
0006919685.tif 000009
【図９】
0006919685.tif 000010
【図１０】
0006919685.tif 000011
【図１１】
0006919685.tif 000012